(57)【特許請求の範囲】
【請求項１】
移動体の移動線路に沿って高周波電流を流す誘導線路を張設し、前記移動体に、前記誘電線路から無接触で給電されるコイルを設けた移動体の無接触給電設備において、前記誘導線路を保持するために使用される給電線保持装置であって、
先端に凹部を有するハンガーが垂設され、上記移動線路に沿って所定間隔置きに設置されるブラケットと、
前記誘導線路の外径に合わせた内径を有す複数の筒体と、前記一筒体の一端を長手方向に切り欠いて、その両端にそれぞれ斜め方向に配設され、前記ハンガーの先端の凹部に挿入される一対のツメ部とからなり、前記他の筒体の一端が長手方向に切り欠かれたカバーと
を備えたことを特徴とする給電線保持装置。
【請求項２】
前記カバーに、各誘導線路支持部間に所定の間隔を設ける分離部材を追加したことを特徴とする請求項１記載の給電線保持装置。
【請求項３】
移動体の移動線路に沿って複数の高周波電流を流す誘導線路を張設し、前記移動体に、前記誘電線路から無接触で給電されるコイルを設けた移動体の無接触給電設備において、前記複数の誘導線路を保持するために使用される給電線保持装置であって、
先端に凹部を有するハンガーが垂設され、上記移動線路に沿って所定間隔置きに設置されるブラケットと、
前記各誘導線路の略６０〜７０％の外周形状に一致する円弧形状の複数の誘導線路支持部および前記ハンガーの先端の凹部に挿入されるツメ部からなる複数のカバーと
を備え
前記各誘導線路支持部を、前記誘導線路の支持空間を押し広げることが可能な構成としたこと
を特徴とする給電線保持装置。
【請求項４】
前記カバーに、各誘導線路支持部間に所定の間隔を設ける分離部材を追加したことを特徴とする請求項３記載の給電線保持装置。
【発明の詳細な説明】
【０００１】
【発明の属する技術分野】
本発明は、移動体の無接触給電設備において、複数の誘導線路を保持するために使用される給電線保持装置に関するものである。
【０００２】
【従来の技術】
従来の複数の誘導線路を保持するために使用される給電線保持装置は、たとえば特開平９−２８４９０５号公報に開示されている。
【０００３】
すなわち、図９に示すように、移動体の案内レールＢの横一側部に案内レールＢに沿って所定間隔置きに上下一対のハンガー１が垂設されたブラケット２が取り付けられ、ハンガー１の先端には袋状の凹部１Ａが設けられ、この凹部１Ａに、水平に通電方向が同じ２本の誘導線路３を長手方向に嵌め込んだカバー４のツメ部４Ａが挿入されて、案内レールＢに沿って上下各２本の誘導線路３が敷設されている。
【０００４】
またブラケット２は、案内レールＢからそれぞれ内方へ突設されたツメ部５，６に、その上下端部を嵌合させ、上下端に設けたねじ孔７に止めネジ８をら合させ、その先端を案内レールＢに食い込ませることにより、固定されている。
【０００５】
また図９において、Ｐは、断面がＥ形のフェライト１１の中央の凸部１１Ａの上下面に渡って、たとえば１０〜２０ターンのリッツ線を巻いてピックアップコイル１２を形成したピックアップユニットであり、このピックアップユニットＰは、フェライト１１の中央の凸部１１Ａの中心Ｌがほぼ上下各２本の誘導線路３の中央で、案内レールＢに対して直角に位置するように調整して移動体に固定される。誘導線路３に通電（交流）されると、ピックアップコイル１２に起電力が発生する。
【０００６】
【発明が解決しようとする課題】
しかし、このような従来の給電線保持装置では、２本の誘導線路３を同時に敷設しなければならず、さらに敷設長が長くなると誘導線路３も重くなるために、作業性が悪いという問題があった。
【０００７】
そこで、本発明は、誘導線路の敷設作業の作業性を向上できる給電線保持装置を提供することを目的としたものである。
【０００８】
【課題を解決するための手段】
前述した目的を達成するために、本発明のうち請求項１記載の発明は、移動体の移動線路に沿って高周波電流を流す誘導線路を張設し、前記移動体に、前記誘電線路から無接触で給電されるコイルを設けた移動体の無接触給電設備において、前記誘導線路を保持するために使用される給電線保持装置であって、
先端に凹部を有するハンガーが垂設され、上記移動線路に沿って所定間隔置きに設置されるブラケットと、前記誘導線路の外径に合わせた内径を有す複数の筒体と、前記一筒体の一端を長手方向に切り欠いて、その両端にそれぞれ斜め方向に配設され、前記ハンガーの先端の凹部に挿入される一対のツメ部とからなり、前記他の筒体の一端が長手方向に切り欠かれたカバーとを備えたことを特徴とするものである。
【０００９】
上記構成により、一筒体に誘導線路を支持させて一対のツメ部をハンガーの先端の凹部に挿入する。次に、他の筒体の切り欠かれた箇所を押し開くことにより、他の筒体に次の誘導線路を嵌め込むことができ、カバーに複数の誘導線路を支持させることができる。
【００１０】
また請求項２記載の発明は、上記請求項１記載の発明であって、前記カバーに、各誘導線路支持部間に所定の間隔を設ける分離部材を追加したことを特徴とするものである。
【００１１】
上記構成により、分離部材により各誘導線路支持部に支持された誘導線路間に所定の間隔が設けられ、互いに誘導線路の通電に発生する磁界の影響が少なくなり、発熱によるエネルギーの損失が減少する。
【００１２】
また請求項３記載の発明は、移動体の移動線路に沿って複数の高周波電流を流す誘導線路を張設し、前記移動体に、前記誘電線路から無接触で給電されるコイルを設けた移動体の無接触給電設備において、前記複数の誘導線路を保持するために使用される給電線保持装置であって、
先端に凹部を有するハンガーが垂設され、上記移動線路に沿って所定間隔置きに設置されるブラケットと、前記各誘導線路の略６０〜７０％の外周形状に一致する円弧形状の複数の誘導線路支持部および前記ハンガーの先端の凹部に挿入されるツメ部からなる複数のカバーとを備え、前記各誘導線路支持部を、前記誘導線路の支持空間を押し広げることが可能な構成としたことを特徴とするものである。
【００１３】
上記構成により、カバーのツメ部をハンガーの先端の凹部に挿入する。すると、各誘導線路支持部の誘導線路の支持空間を押し広げ、各誘導線路支持部に誘導線路を挿入することで誘導線路が支持される。
【００１４】
また請求項４記載の発明は、上記請求項３記載の発明であって、前記カバーに、各誘導線路支持部間に所定の間隔を設ける分離部材を追加したことを特徴とするものである。
【００１５】
上記構成により、分離部材により各誘導線路支持部に支持された誘導線路間に所定の間隔が設けられ、互いに誘導線路の通電に発生する磁界の影響が少なくなり、発熱によるエネルギーの損失が減少する。
【００１６】
【発明の実施の形態】
以下、本発明の実施の形態を図面に基づいて説明する。なお、従来例の図９と同一の構成には同一の符号を付して説明を省略する。
［実施の形態１］
図２は本発明の実施の形態１における給電線保持装置を備えた案内レールの側面図である。
【００１７】
実施の形態１における給電線保持装置は、従来のカバー４に代えて、誘導線路３を支持する剛性を有するプラスチック製のカバー２１を設けている。このカバー２１は、図１に拡大して示すように、誘導線路３の外径に合わせた内径を有す筒状で上端を切り欠いた第１誘導線路支持部２２Ａと、この第１誘導線路支持部２２Ａの下端に接続され、誘導線路３の外径に合わせた内径を有す筒状の第２誘導線路支持部２２Ｂと、この第２誘導線路支持部２２Ｂを長手方向に切り欠いた両端部にそれぞれ斜め方向に配設され、ハンガー１の先端の袋状の凹部１Ａに挿入されるツメ部２３から構成されている。
【００１８】
上記構成により、まず第２誘導線路支持部２２Ｂにより形成される支持空間に誘導線路３を支持し、ツメ部２３をハンガー１の先端の袋状の凹部１Ａに挿入する。続いて、第１誘導線路支持部２２Ａの上端を開くことにより、第１誘導線路支持部２２Ａにより形成される支持空間に誘導線路３を嵌め込む。これにより、２本の誘導線路３を敷設することができる。このとき、２本の誘導線路３を同時に作業する必要はなく、敷設工事の自由度を向上させることができ、誘導線路３の敷設の作業性を向上させることができる。
【００１９】
図３に実施の形態１の他の形態を示す。
図３（ａ）のカバー２１では、第１誘導線路支持部２２Ａの上端の切り欠き部に、同様に下端を切り欠いた、誘導線路３の外径に合わせた内径を有す筒状の第３誘導線路支持部２２Ｃを接続し、誘導線路３を嵌め込むための切り欠きを、第１誘導線路支持部２２Ａと第３誘導線路支持部２２Ｃがつながるように設けている。
【００２０】
また図３（ｂ）のカバー２１では、第１誘導線路支持部２２Ａの切り欠き部を側部に移動して、上端に誘導線路３の外径に合わせた内径を有す筒状の第３誘導線路支持部２２Ｃを接続し、誘導線路３を嵌め込むための切り欠きを、第３誘導線路支持部２２Ｃの上端に設けている。
【００２１】
上記構成により、まず第２誘導線路支持部２２Ｂにより形成される支持空間に誘導線路３を支持し、ツメ部２３をハンガー１の先端の袋状の凹部１Ａに挿入する。続いて、第１誘導線路支持部２２Ａの切り欠きを開くことにより、第１誘導線路支持部２２Ａにより形成される支持空間に誘導線路３を嵌め込む。さらに第３誘導線路支持部２２Ｃの切り欠きを開くことにより、第３誘導線路支持部２２Ｃにより形成される支持空間に誘導線路３を嵌め込む。これにより、３本の誘導線路３を敷設することができる。このとき、３本の誘導線路３を同時に作業する必要はなく、敷設工事の自由度を向上させることができ、誘導線路３の敷設の作業性を向上させることができる。
【００２２】
なお、本実施の形態１および他の実施の形態では、２本、３本の誘導線路３を敷設しているが、さらに多くの誘導線路３を敷設できるように、カバー２１に誘導線路支持部を追設することもできる。
［実施の形態２］
図４は本発明の実施の形態２における給電線保持装置のカバーの正面図および側面図である。
【００２３】
実施の形態２における給電線保持装置のカバー３１は、上記実施の形態１における２つの誘導線路支持部２２Ａ，２２Ｂ間に、誘導線路３間に距離を置き、誘導線路３への通電時の熱の伝達を遮断する断熱材からなる分離部材２４を設けて構成されている。
【００２４】
上記構成により、まず第２誘導線路支持部２２Ｂにより形成される支持空間に誘導線路３を支持し、ツメ部２３をハンガー１の先端の袋状の凹部１Ａに挿入する。続いて、第１誘導線路支持部２２Ａの上端を開くことにより、第１誘導線路支持部２２Ａにより形成される支持空間に誘導線路３を嵌め込む。これにより、２本の誘導線路３を敷設することができる。このとき、２本の誘導線路３を同時に嵌め込む必要はなく、敷設工事の自由度を向上させることができ、誘導線路３の敷設の作業性を向上させることができる。
【００２５】
また分離部材２４によって各誘導線路支持部２２Ａ，２２Ｂに支持された誘導線路３間に所定の間隔が設けられることにより、互いに誘導線路３の通電に発生する磁界の影響が少なくなり、発熱によるエネルギーの損失が減少する。よって、前記エネルギーの損失を考慮して必要な電力を得るために誘導線路３の太さを太くする必要がなくなり、誘導線路３の太さを細くすることができ、その結果、誘導線路３の敷設が容易となり、コストを低減することができる。またピックアップコイル１２に対する熱の影響を最小限に抑えることができる。
【００２６】
図５に実施の形態２の他の形態を示す。
図５に示すように、上記実施の形態１の他の形態における上部の２つの誘導線路支持部２２Ａ，２２Ｃ間に、誘導線路３間に距離を置き、誘導線路３への通電時の熱の伝達を遮断する断熱材からなる分離部材２４を設けて構成されている。
【００２７】
この構成により、実施の形態１と同様に、誘導線路３の敷設の作業性を向上させることができるとともに、分離部材２４によって各誘導線路支持部２２Ａ，２２Ｂ，２２Ｃに支持された誘導線路３間に所定の間隔が設けられることにより、誘導線路３の太さを細くすることができ、その結果、誘導線路３の敷設が容易となり、コストを低減することができる。
【００２８】
なお、本実施の形態２および他の実施の形態では、２本、３本の誘導線路３を敷設しているが、さらに多くの誘導線路３を敷設できるように、カバー３１に誘導線路支持部と分離部材を追設することもできる。
［実施の形態３］
図７は本発明の実施の形態３における給電線保持装置を備えた案内レールの側面図である。
【００２９】
実施の形態３における給電線保持装置のカバー４１はプラスチック製であり、図６に拡大して示すように、誘導線路３の略６０〜７０％の外周形状に一致する円弧形状を有する２つの誘導線路支持部４２と、ハンガー１の先端の袋状の凹部１Ａに挿入されるツメ部４３から構成されている。また各誘導線路支持部４２には、誘導線路支持部４２が形成する支持空間に、誘導線路３を嵌め込む際に、矢印Ａ方向へ前記支持空間を押し広げることを可能とするために、両端に開口部４４を有する空間部４５が外周に沿って設けられている。
【００３０】
上記構成により、ツメ部４３をハンガー１の先端の袋状の凹部１Ａに挿入する。すると、矢印Ａ方向へ誘導線路支持部４２が形成する支持空間を押し広げることにより、誘導線路支持部４２に上下２本の誘導線路３を嵌め込むことができる。このとき、２本の誘導線路３を同時に嵌め込む必要はなく、敷設工事の自由度を向上させることができ、誘導線路３の敷設の作業性を向上させることができる。
［実施の形態４］
図８は本発明の実施の形態４における給電線保持装置のカバーの正面図および側面図である。
【００３１】
実施の形態４における給電線保持装置のカバー５１は、上記実施の形態３における２本の誘導線路３の誘導線路支持部４２間に、誘導線路３間に距離を設け、通電時の熱の伝達を遮断する断熱材からなる分離部材４６を設けている。
【００３２】
上記構成により、ツメ部４３をハンガー１の先端の袋状の凹部１Ａに挿入する。すると、矢印Ａ方向へ誘導線路支持部４２が形成する支持空間を押し広げることにより、誘導線路支持部４２に上下２本の誘導線路３を嵌め込むことができる。このとき、２本の誘導線路３を同時に嵌め込む必要はなく、敷設工事の自由度を向上させることができ、誘導線路３の敷設の作業性を向上させることができる。
【００３３】
また分離部材４６によって各誘導線路支持部４２に支持された誘導線路３間に所定の間隔が設けられることにより、互いに誘導線路３の通電に発生する磁界の影響が少なくなり、発熱によるエネルギーの損失が減少する。よって、前記エネルギーの損失を考慮して必要な電力を得るために誘導線路３の太さを太くする必要がなくなり、誘導線路３の太さを細くすることができ、その結果、誘導線路３の敷設が容易となり、コストを低減することができる。またピックアップコイル１２に対する熱の影響を最小限に抑えることができる。
【００３４】
なお、本実施の形態４では、２本の誘導線路３を保持する構成としているが、誘導線路支持部４２を増すことにより、２本以上の誘導線路３を支持するようにすることができる。
【００３５】
【発明の効果】
以上説明したように本発明によれば、複数の誘導線路を同時に敷設する必要はなく、敷設工事の自由度を向上させることができ、誘導線路の敷設の作業性を向上させることができる。
【図面の簡単な説明】
【図１】本発明の実施の形態１における給電線保持装置のカバーの正面図、および側面図である。
【図２】同給電線保持装置を備えた無接触給電設備の案内レールの側面図である。
【図３】実施の形態１の他の形態における給電線保持装置のカバーの正面図である。
【図４】本発明の実施の形態２における給電線保持装置のカバーの正面図、および側面図である。
【図５】実施の形態２の他の形態における給電線保持装置のカバーの正面図である。
【図６】本発明の実施の形態３における給電線保持装置のカバーの正面図、および側面図である。
【図７】同給電線保持装置を備えた無接触給電設備の案内レールの側面図である。
【図８】本発明の実施の形態４における給電線保持装置のカバーの正面図、および側面図である。
【図９】従来の給電線保持装置を備えた無接触給電設備の案内レールの要部平面図、および側面図である。
【符号の説明】
Ｂ    案内レール
Ｐ    ピックアップユニット
１    ハンガー
１Ａ  凹部
２    ブラケット
３    誘導線路
２１，３１，４１，５１    カバー
２２，４２    誘導線路支持部
２３，４３    ツメ部
２４，４６    分離部材
４４    開口部
４５    空間部
【図１】
0003551042.tif 000002
【図２】
0003551042.tif 000003
【図３】
0003551042.tif 000004
【図４】
0003551042.tif 000005
【図５】
0003551042.tif 000006
【図６】
0003551042.tif 000007
【図７】
0003551042.tif 000008
【図８】
0003551042.tif 000009
【図９】
0003551042.tif 000010